【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
シート材の情報を検出する情報検出手段と、
前記情報検出手段が検出したシート材の情報に基づいて該シート材を判別する判別手段と、を備え、
前記情報検出手段でシート材の情報が検出可能な位置である情報検出可能位置にシート材の少なくとも一部分が位置する状態、かつ、該シート材が前記情報検出手段に対して相対移動している状態で、該情報検出手段により該シート材上の複数箇所でシート材の情報を検出するシート材判別装置であって、
前記判別手段は、相対移動する前記シート材の情報を前記情報検出手段が検出可能であった時間が、予め設定された第一基準時間よりも長い場合に、該シート材を判別する、
シート材判別装置。
【請求項２】
前記シート材の情報の検出が可能であった時間は、前記情報検出手段によるシート材の情報の検出開始から、前記シート材が前記情報検出手段の位置を通過し終えたタイミングまでである、
請求項１に記載のシート材判別装置。
【請求項３】
前記シート材の情報の検出が可能であった時間を計測する計測手段を備え、
前記計測手段は、前記情報検出手段による検出情報が大きく変化したタイミングを、前記シート材が前記情報検出手段の位置を通過し終えたタイミングとする、
請求項２に記載のシート材判別装置。
【請求項４】
前記判別手段は、前記計測手段によって計測された時間が、前記第一基準時間よりも長い時間である第二基準時間よりも長い場合には、シート材の判別を行わない、請求項３記載のシート材判別装置。
【請求項５】
前記シート材が検出開始可能位置に位置することを判断するシート材位置検出手段を備え、
前記シート材位置検出手段が位置を検出した後に、前記情報検出手段による検出を開始する、
請求項１乃至４の何れか１項記載のシート材判別装置。
【請求項６】
前記情報検出手段は、シート材の表面に発光手段を発光させて照射した光を複数の受光手段で受光して該シート材の情報を検出するものであり、前記受光手段として、前記発光手段より照射された光のうち、前記シート材を透過した光を受光する透過光受光手段を少なくとも含むことを特徴とする、請求項１乃至５の何れか１項記載のシート材判別装置。
【請求項７】
前記情報検出手段は、シート材の表面に発光手段を発光させて照射した光を複数の受光手段で受光して該シート材の情報を検出するものであり、
前記受光手段として、前記発光手段より照射された光のうち、前記シート材において反射された光の偏光成分を受光する反射光偏光成分受光手段を少なくとも含むことを特徴とする、請求項１乃至５の何れか１項記載のシート材判別装置。
【請求項８】
前記判別手段は、前記情報検出手段の検出結果に基づいて、前記シート材の銘柄を判定することを特徴とする、請求項１乃至７の何れか１項記載のシート材判別装置。
【請求項９】
前記情報検出手段の検出結果に基づいて、前記シート材の厚さと表面状態との少なくとも一方を判定することを特徴とする請求項１乃至７の何れか１項記載のシート材判別装置。
【請求項１０】
請求項３に記載のシート材判別装置において、
前記計測手段で計測された前記時間に基づいて、前記情報検出手段によるシート材の情報の検出の良否を判定する情報検出良否判定手段を有することを特徴とするシート材判別装置。
【請求項１１】
請求項１０に記載のシート材判別装置において、
前記情報検出良否判定手段の判定結果に基づいて、シート材の情報の検出の良否を表示する表示手段を有することを特徴とするシート材判別装置。
【請求項１２】
請求項１０または１１に記載のシート材判別装置において、
前記情報検出良否判定手段によるシート材の情報の検出の良否判定に用いる判定条件を、シート材の厚さによって変更することを特徴とするシート材判別装置。
【請求項１３】
請求項１乃至１２の何れか１項記載のシート材判別装置において、
前記情報検出手段によるシート材の情報の検出間隔が任意に変更可能であることを特徴とするシート材判別装置。
【請求項１４】
シート材の情報を検出する情報検出手段と、
前記情報検出手段が検出したシート材の情報に基づいて該シート材を判別する判別手段と、
シート材に画像を形成する画像形成手段と、
備え、
前記情報検出手段は、シート材の情報が検出可能な位置である情報検出可能位置にシート材の少なくとも一部分が位置する状態、かつ、該シート材が前記情報検出手段に対して相対移動している状態で、該シート材上の複数箇所のシート材の情報を検出し、
前記判別手段は、相対移動する前記シート材の情報を前記情報検出手段が検出可能であった時間が、予め設定された第一基準時間よりも長い場合に、該シート材を判別する、
画像形成システム。
【請求項１５】
前記シート材の情報の検出が可能であった時間は、前記情報検出手段によるシート材の情報の検出開始から、前記シート材が前記情報検出手段の位置を通過し終えたタイミングまでである、
請求項１４に記載の画像形成システム。
【請求項１６】
前記シート材の情報の検出が可能であった時間を計測する計測手段を備え、
前記計測手段は、前記情報検出手段による検出情報が大きく変化したタイミングを、前記シート材が前記情報検出手段の位置を通過し終えたタイミングとする、
請求項１５に記載の画像形成システム。
【請求項１７】
前記判別手段は、前記計測手段によって計測された時間が、前記第一基準時間よりも長い時間である第二基準時間よりも長い場合には、シート材の判別を行わない、請求項１６記載の画像形成システム。
【請求項１８】
前記シート材が検出開始可能位置に位置することを判断するシート材位置検出手段を備え、
前記シート材位置検出手段が位置を検出した後に、前記情報検出手段による検出を開始する、
請求項１４乃至１７の何れか１項記載の画像形成システム。
【請求項１９】
請求項１８に記載の画像形成システムにおいて、
前記判別手段の判別結果に基づいて、前記画像形成手段の画像形成条件を設定することを特徴とする画像形成システム。
【手続補正２】
【補正対象書類名】明細書
【補正対象項目名】発明の名称
【補正方法】変更
【補正の内容】
【発明の名称】シート材判別装置及び画像形成システム
【手続補正３】
【補正対象書類名】明細書
【補正対象項目名】０００１
【補正方法】変更
【補正の内容】
【０００１】
本発明は、シート材の判別を行うシート材判別装置、及び、そのシート材判別装置を備えた画像形成システムに関するものである。
【手続補正４】
【補正対象書類名】明細書
【補正対象項目名】００１３
【補正方法】変更
【補正の内容】
【００１３】
本発明は以上の問題点に鑑みなされたものであり、その目的は、シート材の判別精度が低くなるのを抑制できるシート材判別装置、及び、そのシート材判別装置を備えた画像形成システムを提供することである。
【手続補正５】
【補正対象書類名】明細書
【補正対象項目名】００１４
【補正方法】変更
【補正の内容】
【００１４】
上記目的を達成するために、請求項１の発明は、シート材の情報を検出する情報検出手段と、前記情報検出手段が検出したシート材の情報に基づいて該シート材を判別する判別手段と、を備え、前記情報検出手段でシート材の情報が検出可能な位置である情報検出可能位置にシート材の少なくとも一部分が位置する状態、かつ、該シート材が前記情報検出手段に対して相対移動している状態で、該情報検出手段により該シート材上の複数箇所でシート材の情報を検出するシート材判別装置であって、前記判別手段は、相対移動する前記シート材の情報を前記情報検出手段が検出可能であった時間が、予め設定された第一基準時間よりも長い場合に、該シート材を判別する、ものである。